(57)【要約】【課題】容易にコンテンツを持ち帰ることを課題とする。【解決手段】出力装置は、取得部と、配信部とを有する。携帯端末装置は、受信部と、表示部と、検出部とを有する。制御プログラムは、携帯端末装置を、操作解析部と、受信制御部と、表示制御部として機能させる。取得部は、表示装置によって表示されているコンテンツに関するコンテンツ情報を取得する。配信部は、取得されたコンテンツ情報を配信する。受信部は、配信されたコンテンツ情報を受信する。表示部は、コンテンツ情報を表示する。検出部は、ユーザ操作を検出する。操作解析部は、検出されたユーザ操作を解析する。受信制御部は、コンテンツ情報を受信するためのユーザ操作であると解析された場合に、受信部によるコンテンツ情報の受信開始を制御する。表示制御部は、受信されたコンテンツ情報を表示部に表示させる。【選択図】図４
2015056011.tif 000002
【特許請求の範囲】
【請求項１】
出力装置と、携帯端末装置を制御する制御プログラムとを含む情報処理システムであって、
前記出力装置は、
表示装置によって表示されているコンテンツに関するコンテンツ情報を取得する取得部と、
取得された前記コンテンツ情報を配信する配信部と、を有し、
前記携帯端末装置は、
前記出力装置によって配信された前記コンテンツ情報を受信する受信部と、
前記コンテンツ情報を表示する表示部と、
前記携帯端末装置に対するユーザ操作を検出する検出部と、を有し、
前記制御プログラムは、前記携帯端末装置を、
前記検出部によって検出されたユーザ操作を解析する操作解析部と、
前記コンテンツ情報を受信するための前記ユーザ操作であると解析された場合に、前記受信部による前記コンテンツ情報の受信開始を制御する受信制御部と、
前記受信部によって受信された前記コンテンツ情報を前記表示部に表示させる表示制御部として機能させる
ことを特徴とする情報処理システム。
【請求項２】
前記配信部は、人感センサによって人間が検知された場合に、前記コンテンツ情報を配信することを特徴とする請求項１に記載の情報処理システム。
【請求項３】
前記表示装置によって表示されているコンテンツには、前記出力装置ごとに異なるユーザ操作の内容が含まれ、
前記受信部は、前記出力装置ごとに異なるユーザ操作の内容を含んだ前記コンテンツ情報を受信し、
前記表示制御部は、前記操作解析部によって解析されたユーザ操作と同一のユーザ操作の内容を含んだ前記コンテンツ情報を前記表示部に表示させることを特徴とする請求項１又は２に記載の情報処理システム。
【請求項４】
前記配信部は、複数の前記コンテンツそれぞれを簡易に識別するための簡易識別情報を含んだ前記コンテンツ情報を配信し、
前記表示制御部は、前記簡易識別情報の一覧を前記表示部に表示させることを特徴とする請求項１又は２に記載の情報処理システム。
【請求項５】
前記配信部は、コンテンツを蓄積する蓄積装置のコンテンツを指定するアドレス情報である前記コンテンツ情報を配信することを特徴とする請求項１に記載の情報処理システム。
【請求項６】
前記検出部は、前記携帯端末装置に搭載された加速度センサ又はジャイロセンサを用いて、前記ユーザ操作を検出することを特徴とする請求項１に記載の情報処理システム。
【請求項７】
出力装置と、携帯端末装置を制御する制御プログラムとを含む情報処理システムで実行される情報処理方法であって、
前記出力装置は、
表示装置によって表示されているコンテンツに関するコンテンツ情報を取得するステップと、
取得された前記コンテンツ情報を配信するステップと、を含み、
前記携帯端末装置は、
前記出力装置によって配信された前記コンテンツ情報を受信するステップと、
前記コンテンツ情報を表示するステップと、
前記携帯端末装置に対するユーザ操作を検出するステップと、
検出されたユーザ操作を解析するステップと、
前記コンテンツ情報を受信するための前記ユーザ操作であると解析された場合に、前記コンテンツ情報の受信開始を制御するステップと、
受信された前記コンテンツ情報を表示させるステップと、を含む
ことを特徴とする情報処理方法。
【発明の詳細な説明】
【技術分野】
【０００１】
本発明は、情報処理システム及び情報処理方法に関する。
【背景技術】
【０００２】
従来、公共の場に設置されたデジタルサイネージ（Digital  Signage：電子看板）においては、表示されているコンテンツを持ち帰り、個人が所有するスマートフォン等で見たいといった要求がある。かかる要求に応えるために、ＮＦＣ（Near  Field  Communication）等の近距離無線通信や二次元コードを利用して、コンテンツを見るためのデータを取得する手法や、デジタルサイネージを直接撮影する等の手法が存在する。例えば、情報配信装置との間で指向性を有する近距離無線通信を実現するユーザ所有の携帯端末装置において、該近距離無線通信の通信感度の変化に応じてユーザ操作を判定し、配信される情報の取得の継続や終了を制御する技術がある。
【発明の概要】
【発明が解決しようとする課題】
【０００３】
しかしながら、上述した従来技術では、容易にコンテンツを持ち帰ることが困難であるという問題がある。例えば、二次元コードを利用する場合に、ユーザは、カメラ撮影のためのアプリケーションを起動して、デジタルサイネージの所定領域に近づいたうえで、二次元コードを撮影する。また、例えば、近距離無線通信を利用する場合に、ユーザは、ＮＦＣのタグが設定されている場所に移動したうえで、スマートフォンを近づける（接触させる）動作を行なう。すなわち、何れの従来技術においても、ユーザは、コンテンツを持ち帰るために所定の場所に移動することになる。また、人の多い公共の場であれば、所定の場所まで移動することが困難である可能性もある。この結果、従来技術は、容易にコンテンツを持ち帰ることが困難である。
【０００４】
本発明は、上記に鑑みてなされたものであって、容易にコンテンツを持ち帰ることが可能である情報処理システム及び情報処理方法を提供することを目的とする。
【課題を解決するための手段】
【０００５】
上述した課題を解決し、目的を達成するため、本発明に係る情報処理システムは、出力装置と、携帯端末装置を制御する制御プログラムとを含む情報処理システムであって、前記出力装置は、表示装置によって表示されているコンテンツに関するコンテンツ情報を取得する取得部と、取得された前記コンテンツ情報を配信する配信部と、を有し、前記携帯端末装置は、前記出力装置によって配信された前記コンテンツ情報を受信する受信部と、前記コンテンツ情報を表示する表示部と、前記携帯端末装置に対するユーザ操作を検出する検出部と、を有し、前記制御プログラムは、前記携帯端末装置を、前記検出部によって検出されたユーザ操作を解析する操作解析部と、前記コンテンツ情報を受信するための前記ユーザ操作であると解析された場合に、前記受信部による前記コンテンツ情報の受信開始を制御する受信制御部と、前記受信部によって受信された前記コンテンツ情報を前記表示部に表示させる表示制御部として機能させる。
【発明の効果】
【０００６】
本発明の一つの様態によれば、容易にコンテンツを持ち帰ることができるという効果を奏する。
【図面の簡単な説明】
【０００７】
【図１】図１は、実施の形態１に係る情報処理システムの構成例を示す図である。
【図２】図２は、実施の形態１に係る出力装置のハードウェア構成例を示す図である。
【図３】図３は、実施の形態１に係る携帯端末装置のハードウェア構成例を示す図である。
【図４】図４は、実施の形態１に係る装置構成例を示す機能ブロック図である。
【図５】図５は、実施の形態１に係る記憶部に記憶される情報の例を示す図である。
【図６】図６は、実施の形態１に係る全体処理の流れの例を示すシーケンス図である。
【図７】図７は、実施の形態１に係る出力装置の動作の流れの例を示すフローチャートである。
【図８】図８は、実施の形態１に係る配信開始処理の流れの例を示すフローチャートである。
【図９】図９は、実施の形態１に係る携帯端末装置の動作の流れの例を示すフローチャートである。
【図１０】図１０は、実施の形態１に係る無線通信受信処理の流れの例を示すフローチャートである。
【図１１】図１１は、実施の形態２に係る情報処理システムの適用イメージの例を示す図である。
【図１２】図１２は、実施の形態２に係る装置構成例を示す機能ブロック図である。
【図１３】図１３は、実施の形態１に係る出力装置の動作の流れの例を示すフローチャートである。
【図１４】図１４は、実施の形態３に係る情報処理システムの適用イメージの例を示す図である。
【図１５】図１５は、実施の形態３に係る装置構成例を示す機能ブロック図である。
【図１６】図１６は、実施の形態３に係る記憶部に記憶される情報の例を示す図である。
【図１７】図１７は、実施の形態３に係る全体処理の流れの例を示すシーケンス図である。
【図１８】図１８は、実施の形態４に係る記憶部に記憶される情報の例を示す図である。
【図１９】図１９は、実施の形態４に係る全体処理の流れの例を示すシーケンス図である。
【発明を実施するための形態】
【０００８】
以下に添付図面を参照して、本発明に係る情報処理システム及び情報処理方法の実施の形態を説明する。なお、以下の実施の形態により本発明が限定されるものではない。また、各実施の形態は、内容を矛盾させない範囲で適宜組み合わせることができる。
【０００９】
（実施の形態１）
［システム構成］
図１を用いて、実施の形態１に係る情報処理システムの構成を説明する。図１は、実施の形態１に係る情報処理システムの構成例を示す図である。
【００１０】
図１に示すように、情報処理システム１は、出力装置１０と、携帯端末装置３０と、コンテンツ配信装置５０とを有する。これらのうち、出力装置１０は、コンテンツ画像をスクリーン等の投影面に表示するための装置である。例えば、出力装置１０は、表示部（投影部）を有するプロジェクタ（表示装置）であっても良いし、投影対象のコンテンツ画像をプロジェクタに対して出力する情報処理装置であっても良い。携帯端末装置３０は、ユーザが所有するスマートフォンやタブレット端末等の装置である。コンテンツ配信装置５０は、投影面に投影される各種のコンテンツデータを配信する装置である。
【００１１】
上述した構成において、出力装置１０は、コンテンツ配信装置５０からコンテンツデータ（コンテンツ画像）を取得し、投影面にコンテンツ画像を投影する。そして、出力装置１０は、投影面に投影されているコンテンツ画像の情報を、無線通信により配信する。コンテンツ情報の配信は、ブロードキャストにより実現される。かかる無線通信の形態としては、Ｗｉ−Ｆｉ（登録商標）、Ｂｌｕｅｔｏｏｔｈ（登録商標）、赤外線通信、可視光通信等が挙げられる。本実施の形態では、このような無線通信について、通信距離が最大１０メートル程度のものを利用することが好ましい。
【００１２】
また、携帯端末装置３０は、上記無線通信により、出力装置１０によって配信されるコンテンツ情報を受信し、受信したコンテンツ情報を自身の表示部に表示する。コンテンツ情報の受信のトリガは、携帯端末装置３０に対するユーザ操作である。かかるユーザ操作は、一つの様態として、携帯端末装置３０に搭載されたジャイロセンサや加速度センサ等の各種センサを利用して検出される。具体的には、ユーザは、投影面に投影されているコンテンツを持ち帰りたい場合に、携帯端末装置３０に対して所定動作（ジェスチャ）を行なう。これにより、携帯端末装置３０は、ユーザのジェスチャを検出し、コンテンツ情報の受信を開始する。
【００１３】
つまり、ユーザは、投影面に投影されたコンテンツ画像の情報を持ち帰りたい場合に、ユーザ所有の携帯端末装置３０をジェスチャにより操作する。携帯端末装置３０は、ユーザのジェスチャを受け付けると、投影面に投影されたコンテンツ画像に関するコンテンツ情報の受信を開始する。この結果、情報処理システム１によれば、ユーザが容易にコンテンツを持ち帰ることができる。
【００１４】
［実施の形態１に係る出力装置のハードウェア構成］
次に、図２を用いて、実施の形態１に係る出力装置１０のハードウェア構成を説明する。図２は、実施の形態１に係る出力装置１０のハードウェア構成例を示す図である。
【００１５】
図２に示すように、出力装置１０は、ＵＳＢ（Universal  Serial  Bus）１１と、Ｗｉ−Ｆｉ（登録商標）１２と、Ｂｌｕｅｔｏｏｔｈ（登録商標）１３と、Ｅｔｈｅｒｎｅｔ（登録商標）１４と、赤外線（赤外線通信）１５等の通信インタフェースを有する。出力装置１０は、これらの通信インタフェースを介して、インターネット等のネットワークとデータ通信を行なう。また、出力装置１０は、ＨＤＭＩ（登録商標）（High‐Definition  Multimedia  Interface）１６と、ＶＩＤＥＯ−ＩＮ１７とを有する。出力装置１０は、これらの映像端子により、外部からの映像信号を受け付ける。
【００１６】
また、出力装置１０は、ＣＰＵ（Central  Processing  Unit）１８と、ＡＳＩＣ（Application  Specific  Integrated  Circuit）１９とを有する。また、出力装置１０は、ＤＳＰ（Digital  Signal  Processor）２０と、ＲＡＭ（Random  Access  Memory）２１と、フラッシュメモリ２２と、作像エンジン２３と、光源２４と、レンズ２５とを有する。出力装置１０は、フラッシュメモリ２２に電子データを記憶させることが可能である。そして、出力装置１０は、各通信インタフェースや各映像端子から受け取ったデータ、フラッシュメモリ２２に記憶されたデータをもとに各種処理を実行し、作像エンジン２３にて投影可能な形式にデータを変換する。その後、出力装置１０は、光源２４からレンズ２５を通して投射することで、コンテンツ画像を投影する。
【００１７】
［実施の形態１に係る携帯端末装置のハードウェア構成］
次に、図３を用いて、実施の形態１に係る携帯端末装置３０のハードウェア構成を説明する。図３は、実施の形態１に係る携帯端末装置３０のハードウェア構成例を示す図である。
【００１８】
図３に示すように、携帯端末装置３０は、ＳｏＣ（System  on  Chip）３１と、フラッシュメモリ３２と、ＲＡＭ３３とを有する。携帯端末装置３０は、ＣＰＵやＤＳＰ、メモリコントローラ等の機能を集約したＳｏＣ３１を有し、ＳｏＣ３１による処理で利用する各種データを記憶するフラッシュメモリ３２やＲＡＭ３３を有する。
【００１９】
また、携帯端末装置３０は、３Ｇ（３Ｇ回線）３４、Ｗｉ−Ｆｉ（登録商標）３５、Ｂｌｕｅｔｏｏｔｈ（登録商標）３６と、ＬＣＤ（Liquid  Crystal  Display）３７とを有する。携帯端末装置３０は、３Ｇ回線３４による通話、Ｗｉ−Ｆｉ（登録商標）３５やＢｌｕｅｔｏｏｔｈ（登録商標）３６等の通信インタフェースによる無線通信が可能である。そして、携帯端末装置３０は、各種情報を表示するＬＣＤ３７を有する。
【００２０】
また、携帯端末装置３０は、ジャイロセンサ３８と、加速度センサ３９とを有する。携帯端末装置３０は、ジャイロセンサ３８や加速度センサ３９により、該携帯端末装置３０の動きを検出する。すなわち、携帯端末装置３０は、ユーザによる携帯端末装置３０に対するジェスチャを、ジャイロセンサ３８や加速度センサ３９等により検出する。
【００２１】
［実施の形態１に係る装置構成］
次に、図４を用いて、実施の形態１に係る装置構成を説明する。図４は、実施の形態１に係る装置構成例を示す機能ブロック図である。なお、図４では、出力装置１０と、携帯端末装置３０との機能ブロックを表している。
【００２２】
図４に示すように、出力装置１０は、記憶部１１０と、表示部１２０と、取得部１３０と、配信部１４０とを有する。
【００２３】
記憶部１１０は、投影するコンテンツ画像や、配信するコンテンツ情報を記憶する。より具体的には、記憶部１１０は、コンテンツ配信装置５０によって配信された投影対象である、コンテンツデータに含まれるコンテンツ画像と、投影されるコンテンツに関するコンテンツ情報とを対応付けて記憶する。コンテンツに関するコンテンツ情報とは、例えば、投影されるコンテンツに関する情報が開示されているアドレス情報を表すＵＲＬ（Uniform  Resource  Locator）等である。
【００２４】
図５は、実施の形態１に係る記憶部１１０に記憶される情報の例を示す図である。図５に示すように、記憶部１１０は、投影面に投影するためのコンテンツ（コンテンツ画像）と、該コンテンツのインターネット上の情報にアクセスするためのＵＲＬとを対応付けて記憶する。例を挙げると、記憶部１１０は、コンテンツ「Adv001．jpg」と、コンテンツ情報「http：//192.168.0.100/snd＿contents001.html」とを対応付けて記憶する。
【００２５】
表示部１２０は、コンテンツ画像を投影面に投影する。より具体的には、表示部１２０は、記憶部１１０に記憶されたコンテンツ画像を順次取得し、取得したコンテンツ画像を投影面に順次投影する。また、表示部１２０は、投影しているコンテンツ画像の画像名（例えば、「Adv001．jpg」等）を取得部１３０に対して通知する。すなわち、表示部１２０は、コンテンツ画像の投影を切り替える度に、そのときに投影しているコンテンツ画像の画像名を取得部１３０に対して通知する。
【００２６】
取得部１３０は、投影中のコンテンツ画像に関するコンテンツ情報を取得する。より具体的には、取得部１３０は、表示部１２０から、該表示部１２０が現在投影しているコンテンツ画像の画像名を取得する。そして、取得部１３０は、取得した画像名に対応するコンテンツ情報を記憶部１１０から取得する。すなわち、取得部１３０は、表示部１２０によって投影されているコンテンツ画像に対応するコンテンツ情報を、記憶部１１０から適宜取得する。
【００２７】
配信部１４０は、コンテンツ情報を配信する。より具体的には、配信部１４０は、取得部１３０によって取得されたコンテンツ情報（例えば、「http：//192.168.0.100/snd＿contents001.html」）をブロードキャスト配信する。なお、配信部１４０によってコンテンツ情報が配信されていても、全ての携帯端末装置３０がコンテンツ情報を受信するとは限られない。詳細は後述するが、携帯端末装置３０でのコンテンツ情報の受信は、ユーザ操作をトリガとして開始されるからである。
【００２８】
図４に示すように、携帯端末装置３０は、受信部３１０と、表示部３２０と、検出部３３０とを有する。加えて、携帯端末装置３０は、操作解析部３４１と、受信制御部３４２と、表示制御部３４３として機能する制御アプリケーション３４０を有する。
【００２９】
受信部３１０は、コンテンツ情報を受信する。より具体的には、受信部３１０は、後述する受信制御部３４２による制御に応じて、出力装置１０によって配信されるコンテンツ情報を受信する。受信部３１０によるコンテンツ情報の受信は、上述した各種の通信インタフェースによって実現される。表示部３２０は、コンテンツ情報を表示する。より具体的には、表示部３２０は、受信部３１０によって受信されたコンテンツ情報を表示出力する。
【００３０】
検出部３３０は、携帯端末装置３０に対するユーザ操作を検出する。より具体的には、検出部３３０は、ジャイロセンサ３８や加速度センサ３９等のセンサを用いて、携帯端末装置３０に対するユーザの所定動作（ジェスチャ）を検出する。そして、検出部３３０は、検出したユーザのジェスチャを、後述する操作解析部３４１に対して出力する。
【００３１】
操作解析部３４１は、携帯端末装置３０に対するユーザ操作を解析する。より具体的には、操作解析部３４１は、検出部３３０によって検出されたユーザのジェスチャを受け付ける。そして、操作解析部３４１は、受け付けたジェスチャを解析する。かかる解析では、出力装置１０によって配信されるコンテンツ情報を受信するためのジェスチャであるか否かを解析する。例えば、ユーザは、携帯端末装置３０を「左右方向に素早く３回振る」等のジェスチャを行なう。これにより、操作解析部３４１は、左右方向等の所定方向に、一定時間内に３往復したジェスチャである場合に、該ジェスチャを、コンテンツ情報を受信するためのジェスチャであると解析する。コンテンツ情報を受信するためのジェスチャであると解析した場合に、操作解析部３４１は、この解析結果を受信制御部３４２に対して出力する。
【００３２】
受信制御部３４２は、受信部３１０による受信を制御する。より具体的には、受信制御部３４２は、操作解析部３４１によって、コンテンツ情報を受信するためのジェスチャであると解析された場合に、受信部３１０による該コンテンツ情報の受信開始を制御する。これにより、携帯端末装置３０において、出力装置１０によってブロードキャスト配信されているコンテンツ情報の受信がはじめて実現する。
【００３３】
表示制御部３４３は、表示部３２０による表示を制御する。より具体的には、表示制御部３４３は、受信制御部３４２による制御により、受信部３１０によって受信されたコンテンツ情報を、コンテンツへアクセスするためのユーザ操作に応じて、表示部３２０に表示させるための制御を行なう。これにより、ユーザは、任意のタイミングでコンテンツ情報を閲覧し、インターネット経由で所望するコンテンツへアクセスすることができる。
【００３４】
［実施の形態１に係る全体処理のシーケンス］
次に、図６を用いて、実施の形態１に係る全体処理の流れについて説明する。図６は、実施の形態１に係る全体処理の流れの例を示すシーケンス図である。
【００３５】
図６に示すように、出力装置１０は、コンテンツ配信装置５０から配信されたコンテンツデータに含まれるコンテンツ画像を投影面に投影する（ステップＳ１０１）。そして、出力装置１０は、投影面に投影しているコンテンツ画像に関するコンテンツ情報をブロードキャスト配信する（ステップＳ１０２）。
【００３６】
携帯端末装置３０は、各種センサを用いて、該携帯端末装置３０に対するユーザ操作（ジェスチャ）を検出する（ステップＳ１０３）。そして、携帯端末装置３０は、検出されたユーザ操作（ジェスチャ）を解析する（ステップＳ１０４）。ここで、携帯端末装置３０は、コンテンツ情報を受信するためのジェスチャであることを解析する。続いて、携帯端末装置３０は、Ｗｉ−Ｆｉ（登録商標）等のネットワークに接続し、出力装置１０によって配信されているコンテンツ情報の受信開始を制御する（ステップＳ１０５）。
【００３７】
その後、携帯端末装置３０は、出力装置１０によって配信されているコンテンツ情報を受信する（ステップＳ１０６）。ここで、携帯端末装置３０は、ネットワーク接続を切断する。また、携帯端末装置３０は、任意のタイミングで、コンテンツ情報を表示させるためのユーザ操作に応じて、受信したコンテンツ情報を表示する（ステップＳ１０７）。一方、出力装置１０は、投影しているコンテンツ画像を切り替え、次のコンテンツ画像を投影面に投影する（ステップＳ１０８）。コンテンツ画像の切り替えは、例えば、予め定められた所定期間ごとに行なわれれば良い。
【００３８】
［実施の形態１に係る出力装置の動作フロー］
次に、図７を用いて、実施の形態１に係る出力装置１０の動作の流れについて説明する。図７は、実施の形態１に係る出力装置１０の動作の流れの例を示すフローチャートである。
【００３９】
図７に示すように、出力装置１０は、コンテンツ配信装置５０によって配信されたコンテンツデータを取得する（ステップＳ２０１）。コンテンツデータは、記憶部１１０（例えば、フラッシュメモリ２２等）に記憶されている。そして、出力装置１０は、取得したコンテンツデータを、投影面に投影可能な形式へ変換する（ステップＳ２０２）。続いて、出力装置１０は、変換されたコンテンツデータ（コンテンツ画像）の投影を開始する（ステップＳ２０３）。
【００４０】
また、出力装置１０は、携帯端末装置３０によってコンテンツを取得可能にするために、配信可能な形式へ変換することにより、配信するコンテンツ情報を生成する（ステップＳ２０４）。そして、出力装置１０は、無線通信によるコンテンツ情報の配信を開始する（ステップＳ２０５）。
【００４１】
ここで、出力装置１０は、コンテンツ画像を切り替えるための所定時間が経過した場合に（ステップＳ２０６：Ｙｅｓ）、現在投影しているコンテンツ画像の投影を終了する（ステップＳ２０７）。加えて、出力装置１０は、コンテンツ画像を切り替えるための所定時間が経過した場合に（ステップＳ２０６：Ｙｅｓ）、現在投影しているコンテンツ画像の投影が終了するため、該コンテンツ画像に対応するコンテンツ情報の配信も終了する（ステップＳ２０８）。一方、出力装置１０は、コンテンツ画像を切り替えるための所定時間が経過していない場合に（ステップＳ２０６：Ｎｏ）、所定時間が経過するまで待機する。これらの後、出力装置１０は、次に投影するコンテンツ画像を取得し、新たなコンテンツ画像に対する上記処理を実行する。
【００４２】
［実施の形態１に係る配信開始処理フロー］
次に、図８を用いて、実施の形態１に係る配信開始処理の流れについて説明する。図８は、実施の形態１に係る配信開始処理の流れの例を示すフローチャートである。なお、配信開始処理とは、図７に示したステップＳ２０５における処理の詳細を表す。また、図８では、Ｗｉ−Ｆｉ（登録商標）により配信を行なう場合を例に挙げる。
【００４３】
図８に示すように、出力装置１０は、Ｗｉ−Ｆｉ（登録商標）のアクセスポイント（AP）として動作し、特定のＳＳＩＤにてアクセスポイントとして起動する（ステップＳ３０１）。ここでは、ＳＳＩＤについて「SSID＝“GESTURE＿SIGNAGE”」とする例を挙げる。そして、出力装置１０は、ＩＰアドレスに特定のリンクローカルＩＰアドレスを設定する（ステップＳ３０２）。ここでは、ＩＰアドレスについて「192．168．0．100」とする例を挙げる。
【００４４】
続いて、出力装置１０は、コンテンツ情報を配信する配信サーバとしてＦＴＰ（File  Transfer  Protocol）を起動し、コンテンツデータを配信可能な形式にして、コンテンツ情報を配信可能な状態に移行する（ステップＳ３０３）。これらにより、出力装置１０は、携帯端末装置３０からの接続の受け付けを開始する（ステップＳ３０４）。
【００４５】
［実施の形態１に係る携帯端末装置の動作フロー］
次に、図９を用いて、実施の形態１に係る携帯端末装置３０の動作の流れについて説明する。図９は、実施の形態１に係る携帯端末装置３０の動作の流れの例を示すフローチャートである。
【００４６】
図９に示すように、携帯端末装置３０は、各種センサを用いて、ユーザのユーザ操作（ジェスチャ）を検出する（ステップＳ４０１）。そして、携帯端末装置３０は、検出されたジェスチャがコンテンツ情報を取得するためのユーザ操作であると解析した場合に（ステップＳ４０２：Ｙｅｓ）、無線通信によるコンテンツ情報の受信開始を制御する（ステップＳ４０３）。
【００４７】
このとき、携帯端末装置３０は、コンテンツ情報の受信が成功した場合に（ステップＳ４０４：Ｙｅｓ）、受信したコンテンツ情報を表示する（ステップＳ４０５）。なお、コンテンツ情報の表示は、任意のタイミングで良いため、ここではコンテンツ情報の受信が成功した旨を表示するだけでも良い。また、携帯端末装置３０は、検出されたジェスチャがコンテンツ情報を取得するためのユーザ操作でないと解析した場合に（ステップＳ４０２：Ｎｏ）、再度ステップＳ４０１の処理を実行する。また、携帯端末装置３０は、コンテンツ情報の受信が失敗した場合にも（ステップＳ４０４：Ｎｏ）、再度ステップＳ４０１の処理を実行する。
【００４８】
［実施の形態１に係る無線通信受信処理フロー］
次に、図１０を用いて、実施の形態１に係る無線通信受信処理の流れについて説明する。図１０は、実施の形態１に係る無線通信受信処理の流れの例を示すフローチャートである。なお、無線通信受信処理とは、図９に示したステップＳ４０３における処理の詳細を表す。また、図１０では、Ｗｉ−Ｆｉ（登録商標）により無線通信を行なう場合を例に挙げる。
【００４９】
図１０に示すように、携帯端末装置３０は、Ｗｉ−Ｆｉ（登録商標）による無線通信の機能が無効に設定されている場合に（ステップＳ５０１：Ｎｏ）、Ｗｉ−Ｆｉ（登録商標）の機能を有効に設定する（ステップＳ５０２）。一方、携帯端末装置３０は、Ｗｉ−Ｆｉ（登録商標）による無線通信の機能が有効に設定されている場合に（ステップＳ５０１：Ｙｅｓ）、ステップＳ５０３の処理を実行する。
【００５０】
そして、携帯端末装置３０は、出力装置１０との無線ネットワークを形成するために、特定のＳＳＩＤを用いて、該無線ネットワークに接続する（ステップＳ５０３）。ここでは、ＳＳＩＤについて、「SSID＝“GESTURE＿SIGNAGE”」とする例を挙げる。続いて、携帯端末装置３０は、無線ネットワークへの接続に成功した場合に（ステップＳ５０４：Ｙｅｓ）、特定のリンクローカルＩＰアドレスに接続する設定を行ない（ステップＳ５０５）、ＩＰアドレス「192．168．0．100」に接続する（ステップＳ５０６）。なお、ＩＰアドレス「192．168．0．100」は、図８に示した出力装置１０の動作時に利用されるものであり一例である。一方、携帯端末装置３０は、無線ネットワークへの接続に失敗した場合に（ステップＳ５０４：Ｎｏ）、再度ステップＳ５０１の処理を実行する。なお、無線ネットワークへの接続の試行回数を予め設定しておき、設定された試行回数を超えた場合にエラーとして処理を終了するようにしても良い。
【００５１】
その後、携帯端末装置３０は、ＩＰアドレス「192．168．0．100」への接続に成功した場合に（ステップＳ５０７：Ｙｅｓ）、受信開始を制御し、コンテンツ情報を受信する（ステップＳ５０８）。一方、携帯端末装置３０は、ＩＰアドレス「192．168．0．100」への接続に失敗した場合に（ステップＳ５０７：Ｎｏ）、再度ステップＳ５０１の処理を実行する。なお、特定のリンクローカルＩＰアドレスへの接続の試行回数を予め設定しておき、設定された試行回数を超えた場合にエラーとして処理を終了するようにしても良い。
【００５２】
［実施の形態１による効果］
情報処理システム１は、投影面に投影しているコンテンツ画像に関するコンテンツ情報が配信されている状況において、ユーザ所有の携帯端末装置１０に対するジェスチャをトリガとして、配信中のコンテンツ情報の受信開始を制御する。この結果、ユーザは、容易にコンテンツを持ち帰ることができる。
【００５３】
（実施の形態２）
上記実施の形態１では、コンテンツ情報のブロードキャスト配信を常時行なう場合を説明した。実施の形態２では、コンテンツ情報のブロードキャスト配信を、所定エリア内に人物が存在するときに行なう場合を説明する。
【００５４】
［実施の形態２に係るシステムの適用イメージ］
図１１を用いて、実施の形態２に係る情報処理システムの適用イメージについて説明する。図１１は、実施の形態２に係る情報処理システムの適用イメージの例を示す図である。
【００５５】
図１１に示すように、投影面にコンテンツ画像を投影している出力装置は、コンテンツ画像を閲覧可能な領域である所定エリア内の人物を検知する赤外線センサ等の人感センサから、検知結果を受け付ける。そして、出力装置は、所定エリア内に人物が検知された検知結果を受け付けた場合に、投影面に投影しているコンテンツ画像に関するコンテンツ情報のブロードキャスト配信を開始する。
【００５６】
［実施の形態２に係る装置構成］
次に、図１２を用いて、実施の形態２に係る装置構成を説明する。図１２は、実施の形態２に係る装置構成例を示す機能ブロック図である。実施の形態２では、実施の形態１と同様の構成については同一の符号を付し、同様の構成については詳細な説明を省略する場合がある。具体的には、以下に示す配信部１４０ａ以外の機能及び構成、処理は実施の形態１と同様である。
【００５７】
図１２に示すように、出力装置１０ａは、記憶部１１０と、表示部１２０と、取得部１３０と、配信部１４０ａとを有する。配信部１４０ａは、人感センサによって人物が検知された場合に、コンテンツ情報を配信する。より具体的には、配信部１４０ａは、出力装置１０ａに接続された赤外線センサ等の人感センサから、所定エリア内で人物を検知したことを受け付ける。かかる所定エリアは、例えば、出力装置１０ａによって投影面に投影されたコンテンツ画像を人間が確認できる範囲の領域とすることが好ましい。このような所定エリアは、赤外線センサの検知範囲として予め設定しておく。なお、出力装置１０ａと赤外線センサとの接続は、有線又は無線により実現する。そして、配信部１４０ａは、所定エリア内に人物が検知された場合に、表示部１２０によって投影面に投影されているコンテンツ画像に対応するコンテンツ情報をブロードキャスト配信する。なお、表示部１２０によって投影されているコンテンツ画像に対応するコンテンツ情報は、実施の形態１と同様に、取得部１３０によって取得される。
【００５８】
［実施の形態２に係る出力装置の動作フロー］
次に、図１３を用いて、実施の形態２に係る出力装置１０ａの動作の流れについて説明する。図１３は、実施の形態１に係る出力装置１０ａの動作の流れの例を示すフローチャートである。なお、実施の形態１に係る出力装置１０の動作の流れと同様の処理については、詳細な説明を省略する。具体的には、ステップＳ６０１〜ステップＳ６０３は、ステップＳ２０１〜ステップＳ２０３における処理と同様である。また、ステップＳ６０５〜ステップＳ６０９は、ステップＳ２０４〜ステップＳ２０８における処理と同様である。
【００５９】
図１３に示すように、出力装置１０ａは、コンテンツ配信装置５０によって配信されたコンテンツデータの取得後（ステップＳ６０１）、赤外線センサ等からの検知結果をもとに、所定エリア内に人物が検知されたか否かを判定する（ステップＳ６０４）。このとき、出力装置１０ａは、所定エリア内に人物が検知された場合に（ステップＳ６０４：Ｙｅｓ）、配信するコンテンツ情報を生成する（ステップＳ６０５）。一方、出力装置１０ａは、所定エリア内に人物が検知されていない場合に（ステップＳ６０４：Ｎｏ）、コンテンツ情報のブロードキャスト配信を開始せずに、再度ステップＳ６０１の処理を実行する。
【００６０】
［実施の形態２による効果］
情報処理システム１は、投影面に応じた所定エリア内に人物が検知されたことを人感センサから受け付けた場合に、投影面に投影されているコンテンツ画像に関するコンテンツ情報の配信を開始する。この結果、投影面付近のネットワークの通信量を削減することができる。
【００６１】
（実施の形態３）
上記実施の形態１や２では、１台の出力装置によって投影面にコンテンツ画像が投影されている場合の処理について説明した。実施の形態３では、複数台の出力装置によって投影面にコンテンツ画像が投影されている場合の処理について説明する。
【００６２】
［実施の形態３に係るシステムの適用イメージ］
図１４を用いて、実施の形態３に係る情報処理システムの適用イメージについて説明する。図１４は、実施の形態３に係る情報処理システムの適用イメージの例を示す図である。
【００６３】
図１４に示すように、ある程度近傍の位置に、出力装置Ａと出力装置Ｂとの各々が、投影面それぞれにコンテンツ画像を投影している。このとき、各出力装置は、自身の出力装置によって投影しているコンテンツ画像中に、該コンテンツ画像に関するコンテンツ情報を受信するためのユーザ操作の内容を含めている。例えば、出力装置Ａは、携帯端末装置を「３回連続で叩く」ジェスチャによってコンテンツ情報を取得できることを表す内容を、自身が投影しているコンテンツ画像に含めている。同様に、出力装置Ｂは、携帯端末装置を「５回連続で叩く」ジェスチャによってコンテンツ情報を取得できることを表す内容を、自身が投影しているコンテンツ画像に含めている。このようなジェスチャは、出力装置ごとに予め定めておけば良い。また、出力装置Ａや出力装置Ｂによって配信されるコンテンツ情報には、上記の対応するジェスチャの情報も含まれる。
【００６４】
例えば、ユーザは、出力装置Ａによって投影されているコンテンツ画像のコンテンツ情報を持ち帰りたいため、「３回連続で叩く」ジェスチャを携帯端末装置に対して行なう。これにより、携帯端末装置は、コンテンツ情報を取得するためのユーザ操作の解析がなされたことにより、コンテンツ情報の受信開始を制御する。ここで、携帯端末装置は、出力装置Ａ及び出力装置Ｂによってブロードキャスト配信されているコンテンツ情報それぞれを受信する。また、受信されたコンテンツ情報には、出力装置ごとに異なるジェスチャの情報も含まれている。
【００６５】
その後、携帯端末装置は、解析されたユーザ操作と同一のジェスチャの情報を含むコンテンツ情報を表示する。すなわち、携帯端末装置側では、各出力装置に対応するコンテンツ情報を受信するためのジェスチャがそれぞれ何であるのかを認識していないため、コンテンツ情報を受信した後で、解析されたジェスチャと一致するジェスチャの情報を判別し、一致したジェスチャの情報に対応するコンテンツ情報を表示するようにする。
【００６６】
［実施の形態３に係る装置構成］
次に、図１５を用いて、実施の形態３に係る装置構成を説明する。図１５は、実施の形態３に係る装置構成例を示す機能ブロック図である。実施の形態３では、実施の形態１と同様の構成については同一の符号を付し、同様の構成については詳細な説明を省略する場合がある。具体的には、以下に示す記憶部１１０ｂ、受信部３１０ｂ、表示制御部３４３ｂ以外の機能及び構成、処理は実施の形態１と同様である。
【００６７】
図１５に示すように、出力装置１０ｂは、記憶部１１０ｂと、表示部１２０と、取得部１３０と、配信部１４０とを有する。記憶部１１０ｂは、投影するコンテンツ画像、配信するコンテンツ情報、携帯端末装置３０ｂで受信されたコンテンツ情報を判別するためのジェスチャの情報を記憶する。
【００６８】
図１６は、実施の形態３に係る記憶部１１０ｂに記憶される情報の例を示す図である。図１６に示すように、記憶部１１０ｂは、投影面に投影するためのコンテンツ（コンテンツ画像）と、該コンテンツのインターネット上の情報にアクセスするためのＵＲＬ（コンテンツ情報）と、該コンテンツ情報を判別するためのジェスチャの情報とを対応付けて記憶する。例えば、出力装置Ａのコンテンツ情報を判別するためのジェスチャは、「３回連続で叩く」である。また、例えば、出力装置Ｂのコンテンツ情報を判別するためのジェスチャは、「５回連続で叩く」である。なお、配信部１４０による処理は実施の形態１と同様であるが、上記ジェスチャの情報を含むコンテンツ情報をブロードキャスト配信することになる。
【００６９】
図１５に示すように、携帯端末装置３０ｂは、受信部３１０ｂと、表示部３２０と、検出部３３０とを有する。加えて、携帯端末装置３０ｂは、操作解析部３４１と、受信制御部３４２と、表示制御部３４３ｂとして機能する制御アプリケーション３４０ｂを有する。
【００７０】
受信部３１０ｂは、コンテンツ情報を受信する。より具体的には、受信部３１０ｂは、受信制御部３４２による制御に応じて、出力装置１０ｂによって配信されるコンテンツ情報を受信する。受信部３１０ｂによって受信されるコンテンツ情報には、該コンテンツ情報を判別するためのジェスチャの情報も含まれている。
【００７１】
表示制御部３４３ｂは、表示部３２０による表示を制御する。より具体的には、表示制御部３４３ｂは、操作解析部３４１によって解析されたユーザのジェスチャと一致する、受信部３１０ｂによって受信された各コンテンツ情報に含まれるジェスチャの情報を判別する。そして、表示制御部３４３ｂは、操作解析部３４１によって解析されたユーザのジェスチャと一致するジェスチャの情報に対応するコンテンツ情報を表示部３２０に表示させるための制御を行なう。これにより、ユーザは、投影面の近傍で持ち帰りたいと考えていたコンテンツ画像のコンテンツ情報を閲覧し、インターネット経由で所望するコンテンツへアクセスすることができる。
【００７２】
［実施の形態３に係る全体処理のシーケンス］
次に、図１７を用いて、実施の形態３に係る全体処理の流れについて説明する。図１７は、実施の形態３に係る全体処理の流れの例を示すシーケンス図である。
【００７３】
図１７に示すように、出力装置１０ｂは、コンテンツ配信装置５０から配信されたコンテンツデータに含まれるコンテンツ画像であって、配信するコンテンツ情報を判別するためのユーザ操作（ジェスチャ）の内容を含むコンテンツ画像を投影面に投影する（ステップＳ７０１）。そして、出力装置１０ｂは、投影面に投影しているコンテンツ画像に関するコンテンツ情報であって、該コンテンツ情報を判別するためのユーザ操作（ジェスチャ）の内容を含むコンテンツ情報をブロードキャスト配信する（ステップＳ７０２）。
【００７４】
携帯端末装置３０ｂは、各種センサを用いて、該携帯端末装置３０ｂに対するユーザ操作（ジェスチャ）を検出する（ステップＳ７０３）。そして、携帯端末装置３０ｂは、検出されたユーザ操作（ジェスチャ）を解析する（ステップＳ７０４）。ここで、携帯端末装置３０ｂは、コンテンツ情報を受信するためのジェスチャであることを解析する。続いて、携帯端末装置３０ｂは、Ｗｉ−Ｆｉ（登録商標）等のネットワークに接続し、各出力装置１０ｂによって配信されているコンテンツ情報の受信開始を制御する（ステップＳ７０５）。
【００７５】
その後、携帯端末装置３０ｂは、各出力装置１０ｂによって配信されているコンテンツ情報を受信する（ステップＳ７０６）。ここで、携帯端末装置３０ｂは、ネットワーク接続を切断する。受信されるコンテンツ情報には、コンテンツ情報を判別するためのジェスチャの情報も含まれている。また、携帯端末装置３０ｂは、任意のタイミングで、コンテンツ情報を表示させるためのユーザ操作に応じて、解析されたユーザ操作（ジェスチャ）と一致するジェスチャの情報に対応するコンテンツ情報を表示する（ステップＳ７０７）。一方、出力装置１０ｂは、投影しているコンテンツ画像を切り替え、次のコンテンツ画像を投影面に投影する（ステップＳ７０８）。コンテンツ画像の切り替えは、例えば、予め定められた所定期間ごとに行なわれれば良い。
【００７６】
［実施の形態３による効果］
情報処理システム１は、複数のコンテンツ情報を判別するためのジェスチャの情報をさらに含むコンテンツ情報を配信し、コンテンツ情報を受信するときにユーザが行なったジェスチャと同一のジェスチャに対応するコンテンツ情報を、携帯端末装置３０ｂに表示する。この結果、複数の出力装置１０ｂが近傍に存在する場合であっても、ユーザの所望するコンテンツ情報を取得することができる。
【００７７】
（実施の形態４）
さて、これまで本発明に係る情報処理システム１の実施の形態について説明したが、上述した実施の形態以外にも種々の異なる形態にて実施されて良いものである。そこで、（１）コンテンツのサムネイル、（２）構成、について異なる実施の形態を説明する。
【００７８】
（１）コンテンツのサムネイル
上記実施の形態では、コンテンツにアクセスするためのＵＲＬをコンテンツ情報として配信する場合を説明した。かかるコンテンツ情報には、各ＵＲＬの内容を簡易に識別するための簡易識別情報がさらに含められていても良い。例えば、簡易識別情報は、各コンテンツの内容をユーザが簡易に確認可能なサムネイル画像である。
【００７９】
図１８は、実施の形態４に係る記憶部１１０に記憶される情報の例を示す図である。図１８に示すように、記憶部１１０は、実施の形態１に係る記憶部１１０に記憶される情報に加えて、コンテンツのサムネイル画像と、出力装置１０のアドレスとをさらに対応付けて記憶する。出力装置１０において、配信部１４０は、これらサムネイル画像やアドレスをさらに含むコンテンツ情報をブロードキャスト配信する。また、コンテンツ情報を受信した携帯端末装置３０において、表示制御部３４３は、サムネイル画像の一覧をさらに表示部３２０に表示させる制御を行なう。コンテンツ情報の表示においては、図１８に示したようなアドレスが「192．168．0．100」である出力装置１０の情報のみでなく、他の出力装置１０の情報についても表示される場合がある。このため、ユーザは、サムネイル画像を確認できることで、所望するコンテンツを容易に選択することができる。
【００８０】
次に、図１９を用いて、実施の形態４に係る全体処理の流れについて説明する。図１９は、実施の形態４に係る全体処理の流れの例を示すシーケンス図である。
【００８１】
図１９に示すように、出力装置１０は、コンテンツ配信装置５０から配信されたコンテンツデータに含まれる複数のコンテンツ画像を投影面に投影する（ステップＳ８０１）。そして、出力装置１０は、投影面に投影している複数のコンテンツ画像に関するコンテンツ情報（サムネイル画像を含む）をブロードキャスト配信する（ステップＳ８０２）。
【００８２】
携帯端末装置３０は、各種センサを用いて、該携帯端末装置３０に対するユーザ操作（ジェスチャ）を検出する（ステップＳ８０３）。そして、携帯端末装置３０は、検出されたユーザ操作（ジェスチャ）を解析する（ステップＳ８０４）。ここで、携帯端末装置３０は、コンテンツ情報を受信するためのジェスチャであることを解析する。続いて、携帯端末装置３０は、Ｗｉ−Ｆｉ（登録商標）等のネットワークに接続し、出力装置１０によって配信されているコンテンツ情報の受信開始を制御する（ステップＳ８０５）。
【００８３】
その後、携帯端末装置３０は、出力装置１０によって配信されているコンテンツ情報を受信する（ステップＳ８０６）。ここで、携帯端末装置３０は、ネットワーク接続を切断する。また、携帯端末装置３０は、任意のタイミングで、コンテンツ情報を表示させるためのユーザ操作に応じて、受信したコンテンツ情報（サムネイル画像を含む）を表示する（ステップＳ８０７）。ユーザは、サムネイル画像を参照して、所望のコンテンツを選択し、選択したコンテンツへアクセスすることができる。一方、出力装置１０は、投影しているコンテンツ画像を切り替え、次のコンテンツ画像を投影面に投影する（ステップＳ８０８）。コンテンツ画像の切り替えは、例えば、予め定められた所定期間ごとに行なわれれば良い。
【００８４】
（２）構成
また、上記文書中や図面中等で示した処理手順、制御手順、具体的名称、各種のデータやパラメタ等を含む情報は、特記する場合を除いて任意に変更することができる。また、図示した各装置の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に、分散又は統合することができる。例えば、上記実施の形態では、携帯端末装置において、操作解析部、受信制御部、表示制御部として機能する制御アプリケーションを実行させる場合を説明したが、上記各部については、これらの一部又は全部がソフトウェア（プログラム）であっても良いし、これらの一部又は全部がハードウェア回路であっても良い。
【符号の説明】
【００８５】
１  情報処理システム
１０  出力装置
１１０  記憶部
１２０  表示部
１３０  取得部
１４０  配信部
３０  携帯端末装置
３１０  受信部
３２０  表示部
３３０  検出部
３４０  制御アプリケーション
３４１  操作解析部
３４２  受信制御部
３４３  表示制御部
５０  コンテンツ配信装置
【先行技術文献】
【特許文献】
【００８６】
【特許文献１】国際公開第２００９／１２５５９０号
【図１】
2015056011.tif 000003
【図２】
2015056011.tif 000004
【図３】
2015056011.tif 000005
【図４】
2015056011.tif 000006
【図５】
2015056011.tif 000007
【図６】
2015056011.tif 000008
【図７】
2015056011.tif 000009
【図８】
2015056011.tif 000010
【図９】
2015056011.tif 000011
【図１０】
2015056011.tif 000012
【図１１】
2015056011.tif 000013
【図１２】
2015056011.tif 000014
【図１３】
2015056011.tif 000015
【図１４】
2015056011.tif 000016
【図１５】
2015056011.tif 000017
【図１６】
2015056011.tif 000018
【図１７】
2015056011.tif 000019
【図１８】
2015056011.tif 000020
【図１９】
2015056011.tif 000021